(57)【要約】【課題】移動体である主被写体と背景側の副被写体とを所望する構図で容易に撮影する。【解決手段】被写体像を撮影して記録する撮像部11，12と、撮像部11，12で撮影する、移動体である主被写体に対する画像中での撮影領域を第１の領域として指定すると共に、撮像部11，12で撮影する、副被写体に対する画像中での撮影領域を、上記第１の領域と区分した第２の領域として指定し、第１の領域内の主被写体の有無を判定すると共に第２の領域内の副被写体の有無を判定し、それら各判定結果の組合せに応じて撮像部11，12による撮影を実行させる制御部16とを備える。【選択図】      図１
2010068291.tif 000002
【特許請求の範囲】
【請求項１】
撮像手段と、
上記撮像手段の撮像範囲から、移動体である主被写体を記録するための撮影領域を第１の領域として指定する第１の指定手段と、
上記撮像手段の撮像範囲から、副被写体を記録するための撮影領域を第２の領域として指定する第２の指定手段と、
上記撮像手段から時間的に連続して上記撮像範囲の画像を取得する画像取得手段と、
上記画像取得手段によって時間的に連続して取得された各画像における、上記第１の領域の主被写体の撮像状態と上記第２の領域の副被写体の撮像状態とに基づいて、上記画像の記録の可否を判定する第１の判定手段と、
上記第１の判定手段による判定結果に基づいて、上記画像の記録を制御させる記録制御手段と、
上記記録制御手段による制御による撮像画像を記録する記録手段と
を具備したことを特徴とする撮像装置。
【請求項２】
上記第１の判定手段が判定する撮影状態には、上記画像において上記主被写体及び上記副被写体の少なくとも一方が対応する領域に入った状態が含まれ、
上記主被写体及び上記副被写体の少なくとも一方の移動ベクトルを算出する移動ベクトル算出手段と、
この移動ベクトル算出手段によって算出された移動ベクトルに基づいて、上記主被写体及び上記副被写体の少なくとも一方が対応する領域に入るタイミングを取得するタイミング取得手段とをさらに具備し、
上記記録制御手段は、上記タイミング取得手段により取得されたタイミングで上記画像を記録させる
ことを特徴とする請求項１記載の撮像装置。
【請求項３】
上記第１の判定手段が判定する撮影状態には、上記画像において上記主被写体が上記第１の領域で停止している状態が含まれ、
上記第１の領域での上記主被写体の移動量を算出する移動量算出手段と、
上記移動量算出手段によって算出された移動量が所定の範囲内であるか否かを判定する移動量判定手段とをさらに具備し、
上記第１の判定手段は、上記移動量判定手段により移動量が所定の範囲内であると判定すると、上記画像において上記主被写体が上記第１の領域で停止している状態と判定し、
上記記録制御手段は、上記第１の判定手段によって停止していると判定すると、上記画像を記録する
ことを特徴とする請求項１記載の撮像装置。
【請求項４】
上記第１の判定手段が判定する撮影状態には、上記画像において上記主被写体及び上記副被写体の少なくとも一方が対応する領域内で静止した状態が含まれ、
上記主被写体及び上記副被写体の少なくとも一方の画像の、対応する領域内での変化量の度合いを検出する変化量検出手段と、
この変化量検出手段によって検出された変化量の度合いに基づいて、上記主被写体及び上記副被写体の少なくとも一方が対応する領域で静止しているか否かを判定する静止判定手段とをさらに具備し、
上記記録制御手段は、上記静止判定手段により上記主被写体及び上記副被写体の少なくとも一方が対応する領域で静止していると判定した場合に上記画像を記録させる
ことを特徴とする請求項１記載の撮像装置。
【請求項５】
上記第１の判定手段での判定結果に基いた報知を行なう報知手段をさらに具備したことを特徴とする請求項１記載の撮像装置。
【請求項６】
上記撮影制御手段は、上記第１の判定手段での判定結果に基いて上記撮像手段による撮影条件を設定することを特徴とする請求項１記載の撮像装置。
【請求項７】
副被写体の画像を登録する画像登録手段をさらに具備し、
上記第１の判定手段は、撮像状態に基づく判定として上記登録手段に登録した副被写体の画像と上記第２の領域内の撮影画像とを比較することにより、上記画像の記録の可否を判定する
ことを特徴とする請求項１記載の撮像装置。
【請求項８】
上記第１の判定手段が判定する撮像状態には、上記主被写体又は副被写体の少なくとも一方の、対応する領域の境界枠との重合関係を含むことを特徴とする請求項１記載の撮像装置。
【請求項９】
上記第１の判定手段が判定する撮像状態には、第２の領域内の上記副被写体の明るさの変化を含むことを特徴とする請求項１記載の撮像装置。
【請求項１０】
上記記録制御手段は、上記第１の判定手段の判定結果に基づいて、上記撮像手段が時間的に連続的して取得した上記撮像範囲の画像を、連続して前記記録手段に記録させることを特徴とする請求項１記載の撮像装置。
【請求項１１】
上記画像取得手段によって時間的に連続して取得された上記撮像範囲の各画像を一定時間分循環的に記憶する循環記憶手段をさらに具備し、
上記記録制御手段は、上記循環記憶手段に記憶された各画像を含んだ時間的に連続的して取得した上記撮像範囲の画像を、連続して上記記録手段に記録させる
ことを特徴とする請求項１０記載の撮像装置。
【請求項１２】
上記撮像手段の撮影方向の変化を検出する方向変化検出手段をさらに具備し、
上記記録制御手段は、上記第１の判定手段の判定結果に加え、上記方向変化検出手段によって検出された撮像方向の変化に基づいて上記画像の記録させる
ことを特徴とする請求項１記載の撮像装置。
【請求項１３】
撮像手段と、
上記撮像手段の撮像範囲から、移動体である主被写体を記録するための撮影領域を第１の領域として指定する第１の指定手段と、
上記撮像手段の撮像範囲から、副被写体を記録するための撮影領域を第２の領域として指定する第２の指定手段と、
上記撮像手段から時間的に連続して上記撮像範囲の画像を取得する画像取得手段と、
上記撮像手段による撮影方向の変化を検出する方向変化検出手段と、
上記画像取得手段によって時間的に連続して取得された各画像における上記第２の領域の副被写体の撮像状態と上記方向変化検出手段によって検出された撮影方向の変化とに基づいて、上記画像の記録の可否を判定する第２の判定手段と、
上記第２の判定手段による判定結果に基づいて、上記画像の記録を制御する記録制御手段と、
この記録制御手段による制御により記録された撮像画像を記録する記録手段と
を具備したことを特徴とする撮像装置。
【請求項１４】
被写体像を撮像する撮像部と、上記撮像部で撮像した画像を記録する記録部とを備えた装置が内蔵するコンピュータを、
上記撮像部の撮像範囲から、移動体である主被写体を記録するための撮影領域を第１の領域として指定する第１の指定手段、
上記撮像部の撮像範囲から、副被写体を記録するための撮影領域を第２の領域として指定する第２の指定手段、
上記撮像部から時間的に連続して上記撮像範囲の画像を取得する画像取得手段、
上記画像取得手段によって時間的に連続して取得された各画像における、上記第１の領域の主被写体の撮像状態と上記第２の領域の副被写体の撮像状態とに基づいて、上記画像の記録の可否を判定する第１の判定手段、及び
上記第１の判定手段による判定結果に基づいて、上記画像の上記記録部への記録を制御する記録制御手段
として機能させることを特徴とするプログラム。
【請求項１５】
被写体像を撮影して記録する撮像部と、上記撮像部で撮像した画像を記録する記録部とを備えた装置が内蔵するコンピュータを、
上記撮像部の撮像範囲から、移動体である主被写体を記録するための撮影領域を第１の領域として指定する第１の指定手段、
上記撮像部の撮像範囲から、副被写体を記録するための撮影領域を第２の領域として指定する第２の指定手段、
上記撮像部から時間的に連続して上記撮像範囲の画像を取得する画像取得手段、
上記撮像部の撮影方向の変化を検出する方向変化検出手段、
上記画像取得手段によって時間的に連続して取得された各画像における上記第２の領域の副被写体の撮像状態と上記方向変化検出手段によって検出された撮影方向の変化とに基づいて、上記画像の記録の可否を判定する第２の判定手段、及び
上記第２の判定手段による判定結果に基づいて、上記画像の上記記録部への記録を制御する記録制御手段
として機能させることを特徴とするプログラム。
【発明の詳細な説明】
【技術分野】
【０００１】
本発明は、所謂「流し撮り」と称される撮影技法で撮影を行なうデジタルカメラなどに好適な撮像装置及びプログラムに関する。
【背景技術】
【０００２】
流し取り撮影を容易に実行するものとして、例えば、被写体の画像と予め用意したテンプレートとで主被写体の位置を識別し、マッチングが閾値以上である場合は主被写体の画像中の移動速度を演算して撮像素子での角速度を測定することで、シャッタをオンしてからオフするまでの主被写体の画像中の移動量を０にするべく光学補正を行なう技術が考えられている。（特許文献１）
【特許文献１】特開２００７−０９６８２８号公報
【発明の開示】
【発明が解決しようとする課題】
【０００３】
上述した流し取り撮影は、移動体である主被写体を画像中で静止させると共に背景が流れて動感を描写する技法であり、背景側は流れるためにほとんど考慮されない。しかしながら、例えば名所旧跡や特定のランドマークなどを背景として、移動体である主被写体と共に写し込みたい場合などには対処することができない。
【０００４】
本発明は上記のような実情に鑑みてなされたもので、その目的とするところは、移動体である主被写体と背景側の副被写体とを所望する構図で容易に撮影することが可能な撮像装置及びプログラムを提供することにある。
【課題を解決するための手段】
【０００５】
請求項１記載の発明は、撮像手段と、上記撮像手段の撮像範囲から、移動体である主被写体を記録するための撮影領域を第１の領域として指定する第１の指定手段と、上記撮像手段の撮像範囲から、副被写体を記録するための撮影領域を第２の領域として指定する第２の指定手段と、上記撮像手段から時間的に連続して上記撮像範囲の画像を取得する画像取得手段と、上記画像取得手段によって時間的に連続して取得された各画像における、上記第１の領域の主被写体の撮像状態と上記第２の領域の副被写体の撮像状態とに基づいて、上記画像の記録の可否を判定する第１の判定手段と、上記第１の判定手段による判定結果に基づいて、上記画像の記録を制御させる記録制御手段と、上記記録制御手段による制御による撮像画像を記録する記録手段とを具備したことを特徴とする。
【０００６】
請求項２記載の発明は、上記請求項１記載の発明において、上記第１の判定手段が判定する撮影状態には、上記画像において上記主被写体及び上記副被写体の少なくとも一方が対応する領域に入った状態が含まれ、上記主被写体及び上記副被写体の少なくとも一方の移動ベクトルを算出する移動ベクトル算出手段と、この移動ベクトル算出手段によって算出された移動ベクトルに基づいて、上記主被写体及び上記副被写体の少なくとも一方が対応する領域に入るタイミングを取得するタイミング取得手段とをさらに具備し、上記記録制御手段は、上記タイミング取得手段により取得されたタイミングで上記画像を記録させることを特徴とする。
【０００７】
請求項３記載の発明は、上記請求項１記載の発明において、上記第１の判定手段が判定する撮影状態には、上記画像において上記主被写体が上記第１の領域で停止している状態が含まれ、上記第１の領域での上記主被写体の移動量を算出する移動量算出手段と、上記移動量算出手段によって算出された移動量が所定の範囲内であるか否かを判定する移動量判定手段とをさらに具備し、上記第１の判定手段は、上記移動量判定手段により移動量が所定の範囲内であると判定すると、上記画像において上記主被写体が上記第１の領域で停止している状態と判定し、上記記録制御手段は、上記第１の判定手段によって停止していると判定すると、上記画像を記録することを特徴とする。
【０００８】
請求項４上記請求項１記載の発明において、上記第１の判定手段が判定する撮影状態には、上記画像において上記主被写体及び上記副被写体の少なくとも一方が対応する領域内で静止した状態が含まれ、上記主被写体及び上記副被写体の少なくとも一方の画像の、対応する領域内での変化量の度合いを検出する変化量検出手段と、この変化量検出手段によって検出された変化量の度合いに基づいて、上記主被写体及び上記副被写体の少なくとも一方が対応する領域で静止しているか否かを判定する静止判定手段とをさらに具備し、上記記録制御手段は、上記静止判定手段により上記主被写体及び上記副被写体の少なくとも一方が対応する領域で静止していると判定した場合に上記画像を記録させることを特徴とする。
【０００９】
請求項５記載の発明は、上記請求項１記載の発明において、上記第１の判定手段での判定結果に基いた報知を行なう報知手段をさらに具備したことを特徴とする。
【００１０】
請求項６記載の発明は、上記請求項１記載の発明において、上記撮影制御手段は、上記第１の判定手段での判定結果に基いて上記撮像手段による撮影条件を設定することを特徴とする。
【００１１】
請求項７記載の発明は、上記請求項１記載の発明において、副被写体の画像を登録する画像登録手段をさらに具備し、上記第１の判定手段は、撮像状態に基づく判定として上記登録手段に登録した副被写体の画像と上記第２の領域内の撮影画像とを比較することにより、上記画像の記録の可否を判定することを特徴とする。
【００１２】
請求項８記載の発明は、上記請求項１記載の発明において、上記第１の判定手段が判定する撮像状態には、上記主被写体又は副被写体の少なくとも一方の、対応する領域の境界枠との重合関係を含むことを特徴とする。
【００１３】
請求項９記載の発明は、上記請求項１記載の発明において、上記第１の判定手段が判定する撮像状態には、第２の領域内の上記副被写体の明るさの変化を含むことを特徴とする。
【００１４】
請求項１０記載の発明は、上記請求項１記載の発明において、上記記録制御手段は、上記第１の判定手段の判定結果に基づいて、上記撮像手段が時間的に連続的して取得した上記撮像範囲の画像を、連続して前記記録手段に記録させることを特徴とする。
【００１５】
請求項１１記載の発明は、上記請求項１０記載の発明において、上記画像取得手段によって時間的に連続して取得された上記撮像範囲の各画像を一定時間分循環的に記憶する循環記憶手段をさらに具備し、上記記録制御手段は、上記循環記憶手段に記憶された各画像を含んだ時間的に連続的して取得した上記撮像範囲の画像を、連続して上記記録手段に記録させることを特徴とする。
【００１６】
請求項１２記載の発明は、上記請求項１記載の発明において、上記撮像手段の撮影方向の変化を検出する方向変化検出手段をさらに具備し、上記記録制御手段は、上記第１の判定手段の判定結果に加え、上記方向変化検出手段によって検出された撮像方向の変化に基づいて上記画像の記録させることを特徴とする。
【００１７】
請求項１３記載の発明は、撮像手段と、上記撮像手段の撮像範囲から、移動体である主被写体を記録するための撮影領域を第１の領域として指定する第１の指定手段と、
上記撮像手段の撮像範囲から、副被写体を記録するための撮影領域を第２の領域として指定する第２の指定手段と、上記撮像手段から時間的に連続して上記撮像範囲の画像を取得する画像取得手段と、上記撮像手段による撮影方向の変化を検出する方向変化検出手段と、上記画像取得手段によって時間的に連続して取得された各画像における上記第２の領域の副被写体の撮像状態と上記方向変化検出手段によって検出された撮影方向の変化とに基づいて、上記画像の記録の可否を判定する第２の判定手段と、上記第２の判定手段による判定結果に基づいて、上記画像の記録を制御する記録制御手段と、この記録制御手段による制御により記録された撮像画像を記録する記録手段とを具備したことを特徴とする。
【００１８】
請求項１４記載の発明は、被写体像を撮像する撮像部と、上記撮像部で撮像した画像を記録する記録部とを備えた装置が内蔵するコンピュータを、上記撮像部の撮像範囲から、移動体である主被写体を記録するための撮影領域を第１の領域として指定する第１の指定手段、上記撮像部の撮像範囲から、副被写体を記録するための撮影領域を第２の領域として指定する第２の指定手段、上記撮像部から時間的に連続して上記撮像範囲の画像を取得する画像取得手段、上記画像取得手段によって時間的に連続して取得された各画像における、上記第１の領域の主被写体の撮像状態と上記第２の領域の副被写体の撮像状態とに基づいて、上記画像の記録の可否を判定する第１の判定手段、及び上記第１の判定手段による判定結果に基づいて、上記画像の上記記録部への記録を制御する記録制御手段として機能させることを特徴とする。
【００１９】
請求項１５記載の発明は、被写体像を撮影して記録する撮像部と、上記撮像部で撮像した画像を記録する記録部とを備えた装置が内蔵するコンピュータを、上記撮像部の撮像範囲から、移動体である主被写体を記録するための撮影領域を第１の領域として指定する第１の指定手段、上記撮像部の撮像範囲から、副被写体を記録するための撮影領域を第２の領域として指定する第２の指定手段、上記撮像部から時間的に連続して上記撮像範囲の画像を取得する画像取得手段、上記撮像部の撮影方向の変化を検出する方向変化検出手段、上記画像取得手段によって時間的に連続して取得された各画像における上記第２の領域の副被写体の撮像状態と上記方向変化検出手段によって検出された撮影方向の変化とに基づいて、上記画像の記録の可否を判定する第２の判定手段、及び上記第２の判定手段による判定結果に基づいて、上記画像の上記記録部への記録を制御する記録制御手段として機能させることを特徴とする。
【発明の効果】
【００２０】
本発明によれば、移動体である主被写体と背景側の副被写体とを所望する構図で容易に撮影することが可能となる。
【発明を実施するための最良の形態】
【００２１】
（第１の実施形態）  
以下本発明をデジタルカメラに適用した場合の第１の実施形態について図面を参照して説明する。  
図１は、本実施形態に係るデジタルカメラ１０の回路構成を示すものである。同図ではレンズ光学系１１により、固体撮像素子であるＣＣＤ１２の撮像面上に被写体の光像が結像される。
【００２２】
モニタ状態では、このＣＣＤ１２での撮像により得た画像信号が画像処理部１３に送られ、相関二乗サンプリングや自動ゲイン調整、Ａ／Ｄ変換処理が実行されてデジタル化される。このデジタル値の画像データは、画素補間処理、γ補正処理を含むカラープロセス処理が施された後、システムバスＳＢを介してバッファメモリ１４に一時的に保持される。
【００２３】
バッファメモリ１４に保持された画像データがシステムバスＳＢを介して画像処理部１３に読出され、再びシステムバスＳＢを介して表示部１５へ送られて、モニタ画像として表示される。
【００２４】
以上の動作を制御部１６が統括制御する。制御部１６はＣＰＵで構成され、メインメモリ１７、プログラムメモリ１８と直接接続される。メインメモリ１７は、ＳＤＲＡＭ（シンクロナスＤＲＡＭ）で構成され、ワークメモリとして機能する。プログラムメモリ１８は、後述するオートシャッタモード時の記録制御を含む動作プログラムや特徴情報を含む固定データ等を記憶した、電気的に書換可能な不揮発性メモリで構成される。
【００２５】
制御部１６はプログラムメモリ１８から必要なプログラムやデータ等を読出し、メインメモリ１７に適宜一時的に展開記憶させながら、このデジタルカメラ１０全体の制御動作を実行する。
【００２６】
さらに上記制御部１６は、キー入力部１９から直接入力されるキー操作信号に対応して各種制御動作を実行するもので、システムバスＳＢを介して上記画像処理部１３、バッファメモリ１４、表示部１５の他、レンズ光学系駆動部２０、フラッシュ駆動部２１、ＣＣＤドライバ２２、メモリカードコントローラ２３、音声処理部２４、ＵＳＢインタフェース（Ｉ／Ｆ）２５、画像認識部２６、圧縮伸長処理部２７、及び３軸加速度センサ２８とも接続される。
【００２７】
キー入力部１９は、例えば電源キー、シャッタキー、撮影モードキー、再生モードキー、メニューキー、カーソル（「↑」「→」「↓」「←」）キー、セットキー、シーンプログラムキー等を備える。
【００２８】
レンズ光学系駆動部２０は、制御部１６からの制御信号を受けてレンズモータ（Ｍ）２９の回動を制御し、上記レンズ光学系１１を構成する複数のレンズ中の一部、具体的にはフォーカスレンズ及びズームレンズの位置をそれぞれ個別に光軸方向に沿って移動させる。
【００２９】
フラッシュ駆動部２１は、静止画像撮影時に制御部１６からの制御信号を受けて複数の白色高輝度ＬＥＤで構成されるフラッシュ部３０を撮影タイミングに同期して点灯駆動する。
【００３０】
ＣＣＤドライバ２２は、その時点で設定されている撮影条件等に応じて上記ＣＣＤ１２の操作駆動を行なう。
【００３１】
メモリカードコントローラ２３は、カードコネクタ３１を介してメモリカード３２と接続される。メモリカード３２は、このデジタルカメラ１０に着脱自在に装着され、このデジタルカメラ１０の記録媒体となる画像データ等の記録用メモリであり、内部にはブロック単位で電気的に書換え可能な不揮発性メモリであるフラッシュメモリとその駆動回路とが設けられる。
【００３２】
音声処理部２４は、ＰＣＭ音源等の音源回路を備え、音声の録音時にはこのデジタルカメラ１０の筐体前面側に配設されたマイクロホン部３３より入力される音声信号をデジタル化し、所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、上記メモリカード３２へ送出する。
【００３３】
一方、音声処理部２４は、音声の再生時にメモリカード３２から読出されてきた音声データファイルの圧縮を解いてアナログ化し、このデジタルカメラ１０の背面側に設けられるスピーカ部３４を駆動して、拡声放音させる。
【００３４】
ＵＳＢインタフェース２５は、ＵＳＢコネクタ３５を介してこのデジタルカメラ１０を外部機器、例えばパーソナルコンピュータと接続する際のデータの送受を司る。
【００３５】
画像認識部２６は、バッファメモリ１４に保持される画像データに対して輪郭抽出及び特徴点の抽出を行なって、プログラムメモリ１８に登録した所定の形状の特徴を有する物体の特徴情報との類似度を算出することで登録した物体の識別処理を実行する。
【００３６】
圧縮伸長処理部２７は、上記キー入力部１９のシャッタキー操作に伴う画像撮影時に、バッファメモリ１４に保持される画像データを所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減した画像データファイルを作成する。作成した画像データファイルはシステムバスＳＢを介して上記メモリカード３２に記録される。
【００３７】
また圧縮伸長処理部２７は、再生モード時にメモリカード３２から読出されてくる画像データをシステムバスＳＢを介して受取り、記録時とは逆の手順で圧縮を解く伸長処理により元のサイズの画像データを得、これをシステムバスＳＢを介してバッファメモリ１４に保持させる。そして、バッファメモリ１４に保持された画像データにより表示部１５で再生のための表示が実行される。  
３軸加速度センサ２８は、このデジタルカメラ１０の３次元空間内での姿勢変化を加速度により検知する。
【００３８】
次に上記実施形態の動作について説明する。  
なお、プログラムメモリ１８は、シーンプログラム機能の１つとしてオートシャッタモード時の記録制御を含む動作プログラムを予め記憶している一方で、さらに主被写体及び副被写体の形状の特徴情報を任意に登録可能とする。
【００３９】
図２は、オートシャッタモード時の撮影に先立って行なう事前処理動作の内容を示す。  
その当初には、まず移動体である主被写体を撮影するための判定領域を設定する（ステップＰ１０１）。  
図３は、表示部１５でも表示される、撮像範囲を縦５×横５の計２５個のブロックに分割して任意の判定領域を設定する場合を例示している。ここでは、図示する如く便宜的に縦のブロック位置をＡ〜Ｅ、横のブロック位置を１〜５で示した場合、主被写体が例えばＣ２〜Ｃ４，Ｄ２〜Ｄ４の計６ブロック分の矩形の判定領域内に収まるものとして設定したものとする。
【００４０】
次いで、上記ステップＰ１０１で設定した第１の判定領域に収めるようにして主被写体となる物体を撮影することで、主被写体の形状の特徴情報を登録する（ステップＰ１０２）。
【００４１】
次に、背景の一部となる副被写体を撮影するための判定領域を、上記主被写体の判定領域とは重複しないように設定する（ステップＰ１０３）。  
図４は、表示部１５で表示される、上記設定済みの主被写体用に設定した第１の判定領域ＭＦと副被写体用に設定した第２の判定領域ＳＦとを合わせて例示するもので、副被写体はＡ２〜Ａ４，Ｂ２〜Ｂ４の計６ブロック分の矩形の判定領域内に収まるものとして設定した場合を示す。
【００４２】
次いで、上記ステップＰ１０３で設定した第２の判定領域に収めるようにして副被写体となる物体を撮影することで、副被写体の形状の特徴情報を登録し（ステップＰ１０４）、以上でこの事前処理を完了する。
【００４３】
上記のようにして事前処理を実行した後、図５の本撮影での動作に移行する。
【００４４】
図５は、オートシャッタモードでの本撮影動作の処理内容を示す。その当初には、ＣＣＤ１２を所定のフレームレート、例えば３０［フレーム／秒］で走査駆動し、レンズ光学系１１を介してＣＣＤ１２で得られる画像をバッファメモリ１４に順次保持させると共に表示部１５で表示させることで、モニタ画像としてその時点でＣＣＤ１２で得られている画像をスルー表示（ライブビュー表示）する（ステップＳ１０１）。
【００４５】
このスルー画像（ライブビュー画像）表示にあっては、上記事前処理で設定した主被写体用の第１の判定領域ＭＦを例えば白色の枠により表示部１５上で合わせて表示することにより、ユーザに対して、選択した主被写体の撮影位置を教示することができる。
【００４６】
このスルー画像表示と共に、当該第１の判定領域ＭＦ内で上記設定した主被写体の形状の特徴情報の検出を行ない、検出できた場合は前フレームとの間での変位量から移動ベクトルを算出することで、その静止レベルを複数段階、例えば５段階で判定する（ステップＳ１０２）。
【００４７】
その判定の結果、主被写体の形状の特徴情報を検出することができ、且つ静止レベルが所定のレベル以上、例えば「５」段階中で静止度が高い側の「１」または「２」であるか否かにより、第１の判定領域ＭＦ中で主被写体がほぼ静止しているか否かを判定する（ステップＳ１０３）。
【００４８】
なお、上記静止レベルの判定にあたっては、上述した動きベクトルを算出する他に、判定領域内の画像変化の度合を画素単位で検出するものとしてもよい。
【００４９】
ここで主被写体の形状の特徴情報の検出ができないか、できたとしても静止レベルが所定のレベルに達していないと判定した場合には、再び上記ステップＳ１０１からの処理に戻る。
【００５０】
こうして上記ステップＳ１０１〜Ｓ１０３の処理を繰返し実行することで、スルー画像表示を行ないながら、第１の判定領域ＭＦ内で主被写体の形状の特徴情報の検出ができ、且つ静止レベルが所定のレベル以上となるのを待機する。
【００５１】
そして、第１の判定領域ＭＦ内で主被写体の形状の特徴情報の検出ができ、且つ静止レベルが所定のレベル以上となった時点で上記ステップＳ１０３においてそれを判断し、予め設定している方法、例えば上記第１の判定領域ＭＦを示す白色の枠体を点滅表示させるなどして、画面中の主被写体が静止している状態をユーザに報知する（ステップＳ１０４）。
【００５２】
この報知状態で、さらに上記判定した静止レベルが所定のレベル圏外から所定のレベル圏内への変化であったか否かを判断し（ステップＳ１０５）、そうであった場合にのみ、第１の判定領域ＭＦ内の主被写体に合わせて合焦状態を維持するコンティアスＡＦ動作を開始させる（ステップＳ１０６）。
【００５３】
このとき、コンティニュアスＡＦの開始と共に、画像全体に対する自動ホワイトバランス制御（ＡＷＢ）を並列して開始するものとしてもよい。
【００５４】
その後、さらに第２の判定領域ＳＦを含む周辺の領域で、上記設定した副被写体の形状の特徴情報の検出を登録画像の認識処理として行ない（ステップＳ１０７）、検出できたか否かにより登録した副被写体の画像があったか否かを判断する（ステップＳ１０８）。
【００５５】
ここで、設定した副被写体の形状の特徴情報が検出できず、登録した副被写体の画像がなかったと判断した場合は、再び上記ステップＳ１０１からの処理に戻る。
【００５６】
こうして、ステップＳ１０１〜Ｓ１０８の処理を繰返し実行し、第１の判定領域ＭＦ内での主被写体の静止を確認した上でその報知を行ないながら、第２の判定領域ＳＦ周辺で副被写体が検出されるのを待機する。
【００５７】
そして、第２の判定領域ＳＦを含む周辺で登録した副被写体が検出された場合、上記ステップＳ１０８においてそれを判断し、さらにその時点で３軸加速度センサ２８からの出力信号の大きさを検出し、このデジタルカメラ１０がユーザによりスイングされているか否かを判断する（ステップＳ１０９）。
【００５８】
これは、ユーザが移動体である主被写体の追尾動作を行なっているか否かを確認するためのものであり、３軸加速度センサ２８の出力信号に代えて、画像フレーム間での動きベクトルを算出することで同様の判断を行なうこともできる。
【００５９】
ここで、３軸加速度センサ２８の出力が予め設定した閾値より低く、デジタルカメラ１０はスイングされていないと判断した場合は、移動体である主被写体を捉えながらの動作ではないものとして、再び上記ステップＳ１０１からの処理に戻る。
【００６０】
また、上記ステップＳ１０９で３軸加速度センサ２８の出力が予め設定した閾値以上であり、デジタルカメラ１０がスイングされていることを確認した場合は、あらためて撮影条件の設定、具体的には上記ステップＳ１０６で開始したコンティニュアスＡＦの状態を維持したままでＡＥ（自動露出）処理を実行する（ステップＳ１１０）。
【００６１】
これと共に、上記３軸加速度センサ２８の出力信号の値と直前のステップＳ１０８で検出した副被写体の画像上での位置とから、副被写体が第２の判定領域ＳＦ内に到達するまでの時間を算出してその経時を開始する（ステップＳ１１１）。
【００６２】
そして、以後、経時内容が算出した時間となるまで、換言すれば副被写体が第２の判定領域ＳＦ内に位置するまで待機する（ステップＳ１１２）。
【００６３】
そして、当該時間となった時点でステップＳ１１２でそれを判断し、その時点で設定されている各撮影条件に従って自動的に撮影を実行する（ステップＳ１１３）。
【００６４】
この撮影により得た画像データは、バッファメモリ１４に保持された後、画像処理部１３でＡＷＢ調整を含むカラープロセス処理が施され、さらに画像処理部１３でデータ圧縮されて画像データファイル化されて、メモリカード３２に記録される（ステップＳ１１４）。
【００６５】
以上で一連の撮影処理を完了し、次の撮影に備えるべく再び上記ステップＳ１０１からの処理に戻る。
【００６６】
図６は、表示部１５の第１の判定領域ＭＦ内で、移動体である主被写体としての航空機ＡＰをほぼ静止時状態で捉えたまま、ここでは図示しない第２の判定領域ＳＦ内に副被写体としての富士山の山頂部分が位置し、自動的にシャッタがレリーズされて撮影を実行した瞬間を例示するものである。
【００６７】
こうして自動的に撮影され、メモリカード３２に記録される画像データＩＭを図７に例示する。主被写体である航空機と副被写体である富士山の山頂部分とが上記図４で示した第１の判定領域ＭＦと第２の判定領域ＳＦに正しく対応して位置し、ユーザが設定した通りの構図で撮影が実行されたことがわかる。
【００６８】
以上詳記した如く本実施形態によれば、移動体である主被写体と背景側の副被写体とを所望する構図で容易に撮影することが可能となる。
【００６９】
なお、上記実施形態では、主被写体を第１の判定領域ＭＦで捉えて静止レベルを判定するのにあたって、まず移動体である主被写体の移動ベクトルを算出するものとした。これにより、画像処理部１３及び画像認識部２６で必要な演算量を抑えて、より簡易に被写体の静止判定を行なうことが可能となる。
【００７０】
また、上記実施形態では、上記第１の判定領域ＭＦ内の主被写体の移動量を随時算出し、算出した移動量が所定のレベル以下であるか否かで静止の判定を行なうものとした。これにより、第１の判定領域ＭＦ内での主被写体の静止判定をより明確に実施することができる。
【００７１】
この場合、あえて移動量が第１の所定レベル以上で、且つ第２の所定レベル以下となる範囲内にあるか否かで静止の判定を行なうものとし、第１の判定領域ＭＦ内で主被写体がほとんど移動していない状態を静止判定から排除することにより、多少は主被写体が動いている状態に限定して、移動体である主被写体の動感も合わせて描写した画像データを得るようにすることも考えられる。
【００７２】
さらに、上記実施形態では示さなかったが、上記第１の判定領域ＭＦ内の主被写体の移動量が所定のレベル以下である状態が一定時間以上、例えば０．５［秒］以上継続して得られた場合に静止判定を行なう、というように、継続した時間的な要因も静止判定に加味することで、主被写体が第１の判定領域ＭＦ内で安定して静止している状態を判定することができ、撮影の失敗を未然に防ぐことができる。
【００７３】
また、上記実施形態では、第１の判定領域ＭＦ内で主被写体が静止したと判定した場合にその旨を撮影者であるユーザに報知するものとしたので、移動体である主被写体を正しく捉えていることをユーザに知らせて、ユーザの意図する画像を確実に撮影させることかできる。
【００７４】
具体的な報知方法として、上記実施形態では、例えば表示部１５の画面上で第１の判定領域ＭＦを表す白色の枠体を点滅表示させるものとして説明したが、本発明はこれに限らず、他にも第１の判定領域ＭＦを表す枠体の色を例えば白色から青色に変化させる方法や、スピーカ部３４よりビープ音等を放音させる方法等も考えることができる。
【００７５】
さらに、上記実施形態では、第１の判定領域ＭＦ内で主被写体が静止したと判定すると、即時コンティニュアスＡＦを開始するなど、撮影条件の設定を自動的に実施するものとした。これにより、ユーザによる設定操作を簡略化して、より簡単に所望する撮影条件での撮影を実行することができる。
【００７６】
また、上記実施形態では、副被写体となる背景の画像を事前に登録し、登録した副被写体の画像と第２の判定領域ＳＦ周辺で得られる画像とを比較して副被写体の有無を判定するものとしたので、その時点でユーザが副被写体として任意の物体を選択して設定することができ、表現の自由度を上げることができる。
【００７７】
なお、上記実施形態では、主被写体が第１の判定領域ＭＦ内にあるか否か、副被写体が第２の判定領域ＳＦ周辺に位置するか否かによりその位置関係を判定するものとしたが、本発明では、例えば接しているか、部分的に重なっているか、あるいは完全に包含しているかなど、判定を行なう領域の境界枠に対する被写体の重合関係により被写体の有無を判定するものとしてもよく、それらの判定条件を任意に設定可能とすることで、被写体と判定領域との関係をより明確に定義して、ユーザの意図する構図での撮影を確実に実行できる。
【００７８】
さらに上記実施形態では、３軸加速度センサ２８を設けるものとし、撮影方向の変化を３軸加速度センサ２８で検出して、その検出信号からデジタルカメラ１０をスイング操作していることを確認した上で実際の撮影に移行するものとした。
【００７９】
これにより、移動体である主被写体を第１の判定領域ＭＦで略静止状態に捉えて撮影を行なうことを確認して撮影を実行するため、撮影の失敗を未然に防止できる。
【００８０】
加えて、背景側の副被写体が第２の判定領域ＳＦ周辺にあることを判定してから実際に第２の判定領域ＳＦ内に位置するまでの移動時間を、３軸加速度センサ２８の出力信号から得られる撮影方向の変化とその大きさとを勘案して正確に算出することができるので、ほとんどタイムラグなしに所望する構図での撮影を実行することが可能となる。
【００８１】
また、上記実施形態では、背景側の副被写体の画像を事前処理により登録し、その登録した画像と第２の判定領域ＳＦ周辺との画像との関係により撮影タイミングを制御する場合について説明したが、副被写体は特定の形状の画像に限らず、例えば第２の判定領域ＳＦ内で雷光が生じた場合、あるいはフラッシュが焚かれた場合など、明るさが大きく変化した場合に即時撮影を行なうようにしてもよい。
【００８２】
そのような本実施形態の他の動作例についても以下に図面を参照して説明する。  
図８は、上記図５の処理の一部に代えて実行する処理の内容を示すものである。すなわち、第１の判定領域ＭＦ内で主被写体を静止状態に捉えながら、必要に応じてコンティニュアスＡＦ動作を開始させた後に、第２の判定領域ＳＦを含む周辺の画像の明るさと色の情報を取得する（ステップＳ１２１）。そして、取得した明るさと色の情報の直前のフレームとの変化の度合を算出し、それぞれ予め設定されている閾値以上の変化が少なくとも一方であったか否かにより、第２の判定領域ＳＦ周辺で予め設定した副被写体が検出されたか否かを判定する（ステップＳ１２２）。
【００８３】
そして、第２の判定領域ＳＦを含む周辺で予め設定されている閾値以上の明るさ及び色の少なくとも一方の変化がない場合には、再び上記ステップＳ１０１からの処理に戻る。
【００８４】
一方、上記ステップＳ１２２で第２の判定領域ＳＦを含む周辺で予め設定されている閾値以上の明るさ及び色の少なくとも一方の変化があったと判定した場合には、さらに上記ステップＳ１０９に進んでその時点の３軸加速度センサ２８の出力信号の大きさを検出し、このデジタルカメラ１０がユーザによりスイングされているか否かを判断する。
【００８５】
ここでデジタルカメラ１０がスイングされていることを確認すると、上記ステップＳ１１０以降の処理に進んで、明るさまたは色の変化があった位置とスイングの大きさ及び方向とにより第２の判定領域ＳＦ内で明るさまたは色の変化が見られるタイミングを計測して、そのタイミングとなった時点で自動的に撮影を実行させる。
【００８６】
このように、第２の判定領域ＳＦにおける明るさまたは色の変化が予め設定した大きさを超える場合を撮影の実行タイミングとすることで、上述した如く、例えば第２の判定領域ＳＦ内で雷光が生じた場合、フラッシュが焚かれた場合、信号機が変わった場合など、明るさや色が大きく変化した場合を想定して即時撮影を行なうことができる。
【００８７】
（第２の実施形態）  
以下本発明をデジタルカメラに適用した場合の第２の実施形態について図面を参照して説明する。  
なお、本実施形態に係るデジタルカメラの回路構成に関しては、基本的に上記図１に示した内容と同様であるので、同一部分には同一符号を用いるものとしてその図示と説明とを省略する。
【００８８】
加えて、バッファメモリ１４はスルー画像表示時にその時点で設定されている画像サイズの画像データを所定時間分、例えばフレームレートが３０［フレーム／秒］で２［秒］分とすれば計６０フレーム分以上保持可能な記憶容量を有するものとする。
【００８９】
次に上記実施形態の動作について説明する。  
なお、プログラムメモリ１８は、シーンプログラム機能の１つとしてオートシャッタモード時の記録制御を含む動作プログラムを予め記憶している一方で、さらに主被写体及び副被写体の形状の特徴情報を任意に登録可能とする。
【００９０】
また、オートシャッタモード時の撮影に先立って行なう事前処理動作の内容については、上記図２で説明した内容と同様であるものとし、その図示と説明とを省略する。
【００９１】
そして、事前処理を実行した後、図９の本撮影での動作に移行する。
【００９２】
図９は、オートシャッタモードでの本撮影動作の処理内容を示す。その当初には、ＣＣＤ１２を所定のフレームレート、例えば３０［フレーム／秒］で走査駆動し、レンズ光学系１１を介してＣＣＤ１２で得られる画像をバッファメモリ１４に順次保持させると共に表示部１５で表示させることで、モニタ画像としてその時点でＣＣＤ１２で得られている画像をスルー表示（ライブビュー表示）する（ステップＳ２０１）。
【００９３】
このスルー画像（ライブビュー画像）表示にあっては、上記事前処理で設定した主被写体用の第１の判定領域ＭＦを例えば白色の枠により表示部１５上で合わせて表示することにより、ユーザに対して、選択した主被写体の撮影位置を教示することができる。
【００９４】
また、このスルー画像表示に際して、バッファメモリ１４では上述した如く所定時間分の画像データを保持可能であり、常に新しい画像データを残すように循環的に更新しながら時間的に連続した上記所定時間分の画像データを保持する（ステップＳ２０２）。
【００９５】
そして、上記スルー画像表示と共に、当該第１の判定領域ＭＦ内で上記設定した主被写体の形状の特徴情報の検出を行ない、検出できた場合は前フレームとの間での変位量から移動ベクトルを算出することで、その静止レベルを複数段階、例えば５段階で判定する（ステップＳ２０３）。
【００９６】
その判定の結果、主被写体の形状の特徴情報を検出することができ、且つ静止レベルが所定のレベル以上、例えば「５」段階中で静止度が高い側の「１」または「２」であるか否かにより、第１の判定領域ＭＦ中で主被写体がほぼ静止しているか否かを判定する（ステップＳ２０４）。
【００９７】
なお、上記静止レベルの判定にあたっては、上述した動きベクトルを算出する他に、判定領域内の画像変化の度合を画素単位で検出するものとしてもよい。
【００９８】
ここで主被写体の形状の特徴情報の検出ができないか、できたとしても静止レベルが所定のレベルに達していないと判定した場合には、再び上記ステップＳ２０１からの処理に戻る。
【００９９】
こうして上記ステップＳ２０１〜Ｓ２０４の処理を繰返し実行することで、スルー画像の表示と所定時間分の循環記憶とを行ないながら、第１の判定領域ＭＦ内で主被写体の形状の特徴情報の検出ができ、且つ静止レベルが所定のレベル以上となるのを待機する。
【０１００】
そして、第１の判定領域ＭＦ内で主被写体の形状の特徴情報の検出ができ、且つ静止レベルが所定のレベル以上となった時点で上記ステップＳ２０４においてそれを判断し、予め設定している方法、例えば上記第１の判定領域ＭＦを示す白色の枠体を点滅表示させるなどして、画面中の主被写体が静止している状態をユーザに報知する（ステップＳ２０５）。
【０１０１】
この報知状態で、さらに上記判定した静止レベルが所定のレベル圏外から所定のレベル圏内への変化であったか否かを判断し（ステップＳ２０６）、そうであった場合にのみ、撮影条件の設定として第１の判定領域ＭＦ内の主被写体に合わせて合焦状態を維持するコンティアスＡＦ動作を開始させる（ステップＳ２０７）。
【０１０２】
このとき、コンティニュアスＡＦの開始と共に、撮影条件の設定として、画像全体に対する自動ホワイトバランス制御（ＡＷＢ）を並列して開始するものとしてもよい。
【０１０３】
その後、さらに第２の判定領域ＳＦを含む周辺の領域で、上記設定した副被写体の形状の特徴情報の検出を登録画像の認識処理として行ない（ステップＳ２０８）、検出できたか否かにより登録した副被写体の画像があったか否かを判断する（ステップＳ２０９）。
【０１０４】
ここで、設定した副被写体の形状の特徴情報が検出できず、登録した副被写体の画像がなかったと判断した場合は、再び上記ステップＳ２０１からの処理に戻る。
【０１０５】
こうして、ステップＳ２０１〜Ｓ２０９の処理を繰返し実行し、第１の判定領域ＭＦ内での主被写体の静止を確認した上でその報知を行ないながら、第２の判定領域ＳＦ周辺で副被写体が検出されるのを待機する。
【０１０６】
そして、第２の判定領域ＳＦを含む周辺で登録した副被写体が検出された場合、上記ステップＳ２０９においてそれを判断し、さらにその時点で３軸加速度センサ２８からの出力信号の大きさを検出し、このデジタルカメラ１０がユーザによりスイングされているか否かを判断する（ステップＳ２１０）。
【０１０７】
これは、ユーザが移動体である主被写体の追尾動作を行なっているか否かを確認するためのものであり、３軸加速度センサ２８の出力信号に代えて、画像フレーム間での動きベクトルを算出することで同様の判断を行なうこともできる。
【０１０８】
ここで、３軸加速度センサ２８の出力が予め設定した閾値より低く、デジタルカメラ１０はスイングされていないと判断した場合は、移動体である主被写体を捉えながらの動作ではないものとして、再び上記ステップＳ２０１からの処理に戻る。
【０１０９】
また、上記ステップＳ２１０で３軸加速度センサ２８の出力が予め設定した閾値以上であり、デジタルカメラ１０がスイングされていることを確認した場合は、あらためて撮影条件の設定、具体的には上記ステップＳ２０７で開始したコンティニュアスＡＦの状態を維持したままでＡＥ（自動露出）処理を実行する（ステップＳ２１１）。
【０１１０】
これと共に、上記３軸加速度センサ２８の出力信号の値と直前のステップＳ２０９で検出した副被写体の画像上での位置とから、副被写体が第２の判定領域ＳＦ内に到達するまでの時間を算出してその経時を開始する（ステップＳ２１２）。
【０１１１】
そして、以後、経時内容が算出した時間、換言すれば副被写体が第２の判定領域ＳＦ内に位置するまで待機する（ステップＳ２１３）。
【０１１２】
そして、当該時間となった時点でステップＳ２１３でそれを判断し、その時点で設定されている各撮影条件に従い、予め設定されているフレーム数分、例えば５フレーム分の画像を連続して自動的に撮影する（ステップＳ２１４）。
【０１１３】
この撮影により得た複数フレーム分の画像データは、バッファメモリ１４に保持された後、その直前までスルー画像表示のために保持されていた所定時間分の画像データと共に、画像処理部１３でＡＷＢ調整を含むカラープロセス処理が施され、さらに画像処理部１３でデータ圧縮されて、例えばモーションＪＰＥＧ規格による一連の画像データファイル化されて、メモリカード３２に記録される（ステップＳ２１５）。
【０１１４】
すなわち、１回の撮影で記録される画像データは、スルー画像を循環記録する所定時間分、例えば上述した如くフレームレートが３０［フレーム／秒］で２［秒］分とすれば計６０フレーム分と、さらに上記ステップＳ２１４で撮影した例えば５フレーム分、合わせて６５フレーム分の時間的に連続した画像データをファイル化して記録することとなる。
【０１１５】
以上で一連の撮影処理を完了し、次の撮影に備えるべく再び上記ステップＳ２０１からの処理に戻る。
【０１１６】
上記した如く本実施形態によれば、第１の実施形態の効果に加えて、本来の撮影タイミングで予め設定されている複数フレーム分の撮影を連続して実行するものとしたので、時間的なブラケッティング効果により、撮影後の連写画像中から所望する構図の画像を選択することで、単独撮影を行なう場合に比して、移動体である主被写体と背景側の副被写体とがユーザの所望している構図で撮影されている可能性がより高くなる。
【０１１７】
さらに、上記実施形態では、連写撮影に加えて、撮影前のスルー画像表示段階から、バッファメモリ１４で所定時間分の撮影画像を循環的に記録し、常に直前の所定時間分の画像データを保持しておき、本撮影で得た連写画像と時間的に連続する、バッファメモリ１４の所定時間分の画像データとを関連付けて記録するものとした。
【０１１８】
これにより、本来ユーザが設定した構図が得られる以前のタイミングで撮影した所定時間分の画像データを合わせて自動的に取得することができるため、選択の幅がさらに大きく広がって、ユーザの所望する画像が撮影されている可能性がより高くなる。
【０１１９】
なお、上記第１及び第２の実施の形態は、いずれも本発明をデジタルカメラに適用した場合について説明したものであるが、本発明はこれに限らず、ビデオムービーカメラ、カメラ機能を有する携帯電話端末やＰＤＡ（Ｐｅｒｓｏｎａｌ  Ｄｉｇｉｔａｌ  Ａｓｓｉｓｔａｎｔｓ：個人向け情報携帯端末）その他、各種の電子機器にも同様に適用可能となる。
【０１２０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【０１２１】
【図１】本発明の第１の実施形態に係るデジタルカメラの機能回路の概略構成を示すブロック図。
【図２】同実施形態に係るオートシャッタモードの事前処理の内容を示すフローチャート。
【図３】同実施形態に係るスルー画像上で撮像範囲を分割して任意の判定領域を設定する場合を例示する図。
【図４】同実施形態に係るスルー画像上の第１の判定領域と第２の判定領域の設定例を示す図。
【図５】同実施形態に係るオートシャッタモードの本撮影時の処理内容を示すフローチャート。
【図６】同実施形態に係る撮影実行時のスルー画像を例示する図。
【図７】同実施形態に係る撮影により得られた画像データを例示する図。
【図８】同実施形態に係るオートシャッタモードの本撮影時の他の処理内容を部分的に示すフローチャート。
【図９】本発明の第２の実施形態に係るデジタルカメラでのオートシャッタモードの本撮影時の処理内容を示すフローチャート。
【符号の説明】
【０１２２】
１０…デジタルカメラ、１１…レンズ光学系、１２…ＣＣＤ、１３…画像処理部、１４…バッファメモリ、１５…表示部、１６…制御部、１７…メインメモリ、１８…プログラムメモリ、１９…キー入力部、２０…レンズ光学系駆動部、２１…フラッシュ駆動部、２２…ＣＣＤドライバ、２３…メモリカードコントローラ、２４…音声処理部、２５…ＵＳＢインタフェース、２６…画像認識部、２７…圧縮伸長処理部、２８…３軸加速度センサ、２９…レンズモータ（Ｍ）、３０…フラッシュ部、３１…カードコネクタ、３２…メモリカード、３３…マイクロホン部、３４…スピーカ部、３５…ＵＳＢコネクタ、ＳＢ…システムバス。
【図１】
2010068291.tif 000003
【図２】
2010068291.tif 000004
【図３】
2010068291.tif 000005
【図４】
2010068291.tif 000006
【図５】
2010068291.tif 000007
【図６】
2010068291.tif 000008
【図７】
2010068291.tif 000009
【図８】
2010068291.tif 000010
【図９】
2010068291.tif 000011